(57)【要約】【課題】  移動通信端末機で階層構造を有するメニューのメニューアイテムらを最小限のキー入力のみで使用者が願う機能を捜して遂行するように画面に表示する装置及び方法に関する。【解決手段】  前記装置及び方法によると、階層構造メニューの最上位メニューと最下位メニューとを一つの画面に同時に表示して上位メニューから最下位メニューに、または最下位メニューから最上位メニューに、中間段階を経らないで最小限のキー入力で到逹することができる。また、使用者が現在メニューの位置を易しく認知することができるように、どのようなメニューを１段階上位のメニュー及び１段階下位のメニューと一緒に、または１段階下位のメニューと一緒に一つの画面に表示することができる。【選択図】  図４Ｂ
2005149487.tif 000002
【特許請求の範囲】
【請求項１】
電子機器のメニュー表示装置において、
画面に表示されたメニューアイテムらを移動させるための方向キーと、
階層構造の使用者メニューを保存する第１メモリーと、
一つの画面に表示される多数のメニューアイテムらでなされたメニューセットを保存する第２メモリーと、
一つの画面を複数の行と列に区分して、前記行と列に定義される位置らに前記メニューセットのメニューアイテムらを一つずつ配置するための表示部と、
前記表示部の画面で固定された一つの行と列が定義する位置に選択手段を表示して、前記方向キーの入力を感知すると、前記第１メモリーの階層構造を参照して前記選択手段に位置したメニューアイテムの上位及び下位メニューに属するメニューアイテムらから前記メニューセットを作る制御部と、を含むことを特徴とする装置。
【請求項２】
前記選択手段の下の行には前記選択手段に位置したメニューアイテムの下位メニューに属するメニューアイテムらが表示されて、前記選択手段の上行には前記選択手段に位置したメニューアイテムの上位メニューに属するメニューアイテムらが表示される請求項１に記載の装置。
【請求項３】
前記選択手段の下の行には前記選択手段に位置したメニューアイテムの下位メニューに属するメニューアイテムらが表示されて、最下位行には前記選択手段に位置したメニューアイテムの最下位メニューに属するメニューアイテムらが表示される請求項１に記載の装置。
【請求項４】
前記選択手段が位置した等しい行には前記選択手段に位置したメニューアイテムの兄弟メニューに属するメニューアイテムらが表示される請求項２または３に記載の装置。
【請求項５】
前記選択手段に位置したメニューが最下位メニューである場合、前記選択手段に位置したメニューの最上位メニューを前記選択手段の下の行に表示する請求項１に記載の装置。
【請求項６】
前記選択手段に位置したメニューアイテムが最上位のメニューである場合、前記選択手段に位置したメニューの最下位メニューを前記選択手段の上行に表示する請求項１に記載の装置。
【請求項７】
前記メニューアイテムらはｎ×ｍ行列の多数ディスプレースロットらに一対一対応されて、前記選択手段は前記多数ディスプレースロットらのうち一つであり、カーソルスロットである請求項１に記載の装置。
【請求項８】
前記表示部は一つの画面に第１部分と第２部分とで分けられて表示されて、前記カーソルスロットは第１部分と第２部分とを移動可能であり、前記第２部分は単一行でなされて、前記カーソルスロットが前記第１部分にある時、前記カーソルスロットメニューの最下位メニューを表示する請求項７に記載の装置。
【請求項９】
階層構造のメニューを保存するメモリーを具備して、一つの画面を複数の行と列に区分して前記行と列に定義される位置のスロットらにメニューアイテムらを一つずつ配置して表示して、前記スロットらのうちで一つがカーソルスロットである電子機器のメニュー表示方法において、
方向キー入力の可否をチェックする第１過程と、
前記方向キーの入力を感知すると、次の段階らを遂行してメニューセットを作る第２過程と、
第１段階:前記階層構造を参照してカーソルスロットに位置するようになったメニューアイテムを捜して保存
第２段階:前記カーソルスロットの左右側スロットらに対応するメニューアイテムを捜して保存
第３段階:前記カーソルスロットのメニューアイテムが最上位メニューであると、前記カーソルスロットメニューアイテムの最下位メニューを捜して他の行に保存して、一段階下位のメニューを捜してまた他の行に保存
第４段階:前記カーソルスロットのメニューアイテムが最下位のメニューであると、前記カーソルスロットメニューアイテムの最上位メニューを捜して他の行に保存して、一段階上位のメニューを捜してまた他の行に保存
第５段階:前記カーソルスロットのメニューアイテムが最上位のメニュー、または最下位のメニューではなければ、前記カーソルスロットメニューアイテムの一段階上位のメニューを捜して前記他の行に保存して、一段階下位のメニューを捜して、前記また他の行に保存
前記メニューセットを一つの画面に表示する第３過程でなされることを特徴とする方法。
【請求項１０】
前記画面は３行３列であり、前記カーソルスロットは第２行の中央スロットであり、前記他の行は第１行であり、前記また他の行は第３行である請求項９に記載の方法。
【請求項１１】
階層構造のメニューを保存するメモリーを具備して、前記一つの画面を複数の行と列に区分して前記行と列に定義される位置のスロットらにメニューアイテムらを一つずつ配置して、前記画面は第１部分と第２部分で分けられて表示されて、カーソルスロットは前記第１部分と前記第２部分とを移動可能であるが、各部分内では固定された位置を有する電子機器のメニュー表示方法において、
方向キーの入力が感知されれば、その種類によって前記カーソルスロットが第１、あるいは第２部分のうち、どこにあるかを判断する第１過程と、
前記カーソルスロットが前記第１部分にあれば、次の段階らを遂行してメニューセットを作る第２過程と、
第１段階:前記方向キーが上方向キーでなければ、前記方向キーの入力によって階層構造を参照してカーソルスロットに位置するメニューアイテムを捜して保存して、上方向キーであると、前記カーソルスロットのメニューが最上位のメニューである場合、前記カーソルスロットに位置するメニューアイテムに最下位のメニューアイテムを保存して、最上位のメニューでない場合、前記カーソルスロットに位置するメニューアイテムに一段階上位のメニューアイテムを保存
第２段階:前記第１段階の遂行後、前記カーソルスロットの左右側スロットらに対応するメニューアイテムを捜して保存
第３段階:前記カーソルスロットのメニューアイテムが最下位のメニューであると、前記カーソルスロットメニューアイテムの最上位メニューを捜して次の行に保存して、前記最下位のメニューでなければ一段階下位のメニューを捜して保存
第４段階:前記第３段階の遂行後、前記カーソルスロットメニューアイテムの最下位メニューを捜して前記第２部分に保存
前記カーソルスロットが前記第２部分にあれば、次の段階らを遂行してメニューセットを作る第３過程と、
第１段階:前記方向キーの入力によって、前記カーソルスロットに位置するメニューアイテムを捜して保存
第２段階:前記カーソルスロットの左右側スロットらに対応するメニューアイテムを捜して保存
前記第２、あるいは第３過程で作られたメニューセットを一つの画面に表示する第４過程でなされることを特徴とする方法。
【請求項１２】
前記第２過程の第４段階が、前記カーソルスロットメニューの最下位メニューに属するすべてのメニューアイテムのうち、列の個数程度位優先順位によって選択して、前記第２部分に保存する段階である請求項１１に記載の方法。
【請求項１３】
複数のメニューアイテムらで構成される階層構造の使用者メニューを具備する電子機器でメニューを表示する装置において、
メニューアイテムらを選択するための方向キーと、
一つの画面を、メニューアイテムらを表示するための少なくても３グループのスロットらで区分して、前記スロットらは一つのカーソルスロットを含む表示部と、
前記方向キーの入力によって前記カーソルスロットに位置するメニューアイテムを選択して、前記階層構造で前記カーソルスロットに位置したメニューアイテムの上位と下位及び兄弟メニューアイテムらのうちから、それぞれ少なくとも一つのメニューアイテムを選択して、前記選択された上位と下位メニューアイテムらをそれぞれ第１グループと第２グループとのスロットらに配置して、前記選択された兄弟メニューアイテムらを第３グループのスロットらに配置する制御部と、を含むことを特徴とする装置。
【請求項１４】
前記カーソルスロットに位置したメニューアイテムが最上位のメニューである場合、前記制御部は前記カーソルスロットに位置したメニューアイテムの最下位メニューのうちから、少なくとも一つのメニューアイテムを選択して前記第１グループのスロットらに配置する請求項１３に記載の装置。
【請求項１５】
前記カーソルスロットに位置したメニューアイテムが最下位メニューである場合、前記制御部は前記カーソルスロットに位置したメニューアイテムの最上位メニューのうちから、少なくとも一つのメニューアイテムを選択して前記第２グループのスロットらに配置する請求項１３に記載の装置。
【請求項１６】
前記スロットらは行と列に区分されて、前記グループらは行単位に区分される請求項１４または１５に記載の装置。
【請求項１７】
前記スロットらは３×３の行と列に区分されて、
前記カーソルスロットは第２行の第２列に位置して、前記第１グループのスロットらは第１行に位置して、前記第２グループのスロットらは第３行に位置して、前記第３グループのスロットらは第２行に位置する請求項１６に記載の装置。
【請求項１８】
前記スロットらは行と列に区分されて、前記グループらは列単位に区分される請求項１４または１５に記載の装置。
【請求項１９】
前記スロットらは３×３の行と列に区分されて、
前記カーソルスロットは第２行第２列に位置して、前記第１グループのスロットらは第１列に位置して、前記第２グループのスロットらは第３列に位置して、前記第３グループのスロットらは第２列に位置する請求項１８に記載の装置。
【請求項２０】
複数のメニューアイテムらで構成される階層構造の使用者メニューを具備する電子機器でメニューを表示する装置において、
メニューアイテムらを選択するための方向キーと、
一つの画面を、メニューアイテムらを表示するための少なくても３グループのスロットらに区分して、前記スロットらは一つのカーソルスロットを含む表示部と、
前記方向キーの入力によって、前記カーソルスロットに位置するメニューアイテムを選択して、前記階層構造で前記カーソルスロットに位置したメニューアイテムの下位と最下位及び兄弟メニューアイテムらのうちから、それぞれ少なくとも一つのメニューアイテムを選択して、前記選択された上位と下位メニューアイテムらをそれぞれ第１グループと第２グループのスロットらに配置して、前記選択された兄弟メニューアイテムらを第３グループのスロットらに配置する制御部と、を含むことを特徴とする装置。
【請求項２１】
前記カーソルスロットに位置したメニューアイテムが最下位のメニューである場合、前記制御部は前記カーソルスロットに位置したメニューアイテムの最上位メニューのうちから、少なくとも一つのメニューアイテムを選択して前記第１グループのスロットらに配置する請求項２０に記載の装置。
【請求項２２】
前記表示部は、第１グループと第３グループとを含む第１部分と第２グループとを含む第２部分に区分されて、前記カーソルスロットは前記第１部分と前記第２部分とを移動可能であり、前記カーソルスロットが前記第１部分にある場合、前記第２部分は前記カーソルスロットに位置したメニューアイテムの最下位メニューを表示する請求項２１に記載の装置。
【請求項２３】
前記スロットらは行と列に区分されて、前記グループらは行単位に区分される請求項２２に記載の装置。
【請求項２４】
前記スロットらは３×３の行と列に区分されて、
前記カーソルスロットは第１行第２列に位置して、前記第１グループのスロットらは第２行に位置して、前記第２グループのスロットらは第３行に位置して、前記第３グループのスロットらは第１行に位置する請求項２２に記載の装置。
【請求項２５】
前記スロットらは行と列に区分されて、前記グループらは列単位に区分される請求項２２に記載の装置。
【請求項２６】
前記スロットらは３×３の行と列に区分されて、
前記カーソルスロットは第２行第１列に位置して、前記第１グループのスロットらは第２列に位置して、前記第２グループのスロットらは第３列に位置して、前記第３グループのスロットらは第１列に位置する請求項２５に記載の装置。
【請求項２７】
階層構造の複数のメニューアイテムらを保存するメモリーを具備して、一つの画面は少なくとも３個グループの複数のスロットらに区分されて、前記スロットらのうち、一つがカーソルスロットである電子機器のメニュー表示方法において、
方向キーの入力によって、前記階層構造を参照して前記カーソルスロットに位置するメニューアイテムを選択して配置する過程と、
前記カーソルスロットメニューアイテムの兄弟メニューアイテムらのうちから、少なくとも一つのメニューアイテムを選択する過程と、
前記カーソルスロットメニューアイテムの一段階上位メニューアイテムらと一段階下位のメニューアイテムのうちから、それぞれ少なくとも一つのメニューアイテムを選択する過程と、
前記選択された上位と下位と兄弟メニューアイテムらをそれぞれ第１グループと第２グループと第３グループに配置する過程と、を含むことを特徴とする方法。
【請求項２８】
前記カーソルスロットに位置したメニューアイテムが最上位のメニューである場合、前記カーソルスロットに位置したメニューアイテムの最下位メニューのうちから、少なくとも一つのメニューアイテムを選択して前記第１グループのスロットらに配置する過程を含む請求項２７に記載の方法。
【請求項２９】
前記カーソルスロットに位置したメニューアイテムが最下位のメニューである場合、前記カーソルスロットに位置したメニューアイテムの最上位メニューのうちから、少なくとも一つのメニューアイテムを選択して前記第２グループのスロットらに配置する過程を含む請求項２７に記載の方法。
【請求項３０】
階層構造の複数のメニューアイテムらを保存するメモリーを具備して、一つの画面は複数のスロットらに区分されて、前記スロットらは少なくとも３個のグループらに区分されて、前記スロットらのうち、一つがカーソルスロットである電子機器のメニュー表示方法において、
方向キーの入力によって前記階層構造を参照して前記カーソルスロットに位置するメニューアイテムを選択して配置する過程と、
前記カーソルスロットメニューアイテムの兄弟メニューアイテムらのうちから、少なくとも一つのメニューアイテムを選択する過程と、
前記カーソルスロットメニューアイテムの一段階下位メニューアイテムらと最下位メニューアイテムらのうちから、それぞれ少なくとも一つのメニューアイテムを選択する過程と、
前記選択された下位と最下位と兄弟メニューアイテムらをそれぞれ第１グループと第２グループと前記第３グループに配置する過程と、を含むことを特徴とする方法。
【請求項３１】
前記カーソルスロットに位置したメニューアイテムが最下位のメニューである場合、前記カーソルスロットに位置したメニューアイテムの最上位メニューのうちから、少なくとも一つのメニューアイテムを選択して前記第１グループのスロットらに配置する過程を含む請求項３０に記載の方法。
【請求項３２】
前記入力された方向キーが上方向キーである場合、前記カーソルスロットに位置したメニューアイテムが最上位メニューアイテムであるか否かを判断する過程と、前記カーソルスロットに位置したメニューアイテムが最上位メニューアイテムである場合、前記カーソルスロットに位置したメニューアイテムの最下位メニューアイテムを選択して前記カーソルスロットに配置する過程と、を含む請求項３０に記載の方法。
【請求項３３】
前記カーソルスロットの位置を判断する過程と、前記カーソルスロットの位置が前記第２グループである場合、方向キーの入力によって前記階層構造を参照して前記カーソルスロットに位置するメニューアイテムを選択して第２グループに配置する過程と、前記カーソルスロットメニューアイテムの兄弟メニューアイテムらのうちから、少なくとも一つのメニューアイテムを選択して前記第２グループに配置する過程と、を含む請求項３０に記載の方法。
【発明の詳細な説明】
【技術分野】
【０００１】
本発明は電子機器でメニューアイテムらを表示する装置及び方法に関し、特に、階層構造を有するメニューアイテムらを最小限のキー入力のみで使用者が願う機能を捜して遂行するように画面に表示する装置及び方法に関する。
【背景技術】
【０００２】
メニューアイテムらを表示する電子機器は多様であるが、本明細書では移動通信端末機を例にして説明する。
移動通信端末機及び関連技術の発展によって端末機固有の通信機能以外にさまざまな付加機能らが統合されることで、メニューの種類がさらに多くなって複雑になってきている。
【０００３】
図１Ａ〜図１Ｃは一般的な移動通信端末機でメニューを表示する画面らを例示した図である。
図１Ａは一つの親メニューに属した六個のメニューアイテムらが一つの画面に表示される状態を示す。示した例ではカーソルスロットＣｕはメニューアイテム‘インターネット’に位置している。
図１Ｂは一つの親メニューに属した三つのメニューアイテムらが下側半分(half)の画面に表示されて、残り上側半分の画面にはカーソルスロットが位置しているメニューアイテムが‘電話帳’であることを示す文字が表示されている状態を示す。
図１Ｃは前記図１Ｂのように表示されたメニューのうちから使用者がメニューアイテム‘電話帳’を選択した時、画面が変わってメニューアイテム‘電話帳’の下位メニューが表示された画面を示す。
【０００４】
図２は一般的な階層構造を有するメニュー構造の一例を示した図である。
階層構造でどのような一つのメニューは多くの段階のサブメニューを有する。示した例は階層構造の深さが４である場合を仮定したものである。しかし、この深さは可変的であり、それぞれのメニュー別に深さが変わることもあるということに留意しなければならない。
【０００５】
参照符号１１０〜１４０は第１〜第４段階のメニューを示して、第１段階メニューのサブ−メニューは第２段階のメニューであり、第２段階メニューのサブ−メニューは第３段階のメニューであり、第３段階メニューのサブ−メニューは第４段階のメニューである。
メニューとサブ−メニューとの関係は親と子の関係で説明されることができる。すなわち、メニューアイテム‘１．１．１’の親メニューはメニューアイテム‘１．１’である。本明細書で、親メニューは階層構造で特定のメニューアイテムの１段階上位メニューアイテムを意味する。メニューアイテム‘１’の子メニューはメニューアイテム‘１．１’、‘１．２’、‘１．３’、‘１．４’である。本明細書で、子メニューは階層構造で特定メニューアイテムの１段階下位メニューアイテムらの集合を意味する。メニューアイテム‘１’の兄弟メニューはメニューアイテムら‘２’、‘３’、‘４’である。本明細書で、兄弟メニューは階層構造で特定のメニューアイテムと同じ親メニューを有するメニューアイテムらの集合を意味する。
【０００６】
第１段階のメニュー１１０は階層構造のメニューで最上位に位置するメニューとして使用者が移動通信端末機の画面にメニューを表示するためにどのようなボタン(例:左、右、上、下の方向キー)を押すか、またはそれに該当する他の入力(例:オンスクリーン画面タッチパッドを通じた入力)をした時に表示されるメニューである。ここでは、該当メニューアイテムらを便宜上１〜４の数字で表示することにする。
【０００７】
第２段階のメニュー１２０は第１段階のメニュー１１０の子メニューであり、第１段階のメニュー１１０を選択した場合に表示されるメニューである。第３段階のメニュー１３０は第２段階のメニュー１２０の子メニューであり、第２段階のメニュー１２０を選択した場合に表示されるメニューである。第４段階のメニュー１４０は最下位に位置するメニューであり、直接的に使用者が願う機能を実行させる段階のメニューである。
【０００８】
ところで従来のメニュー方式は、一つの画面に同じメニュー段階に属したメニューアイテムらのみを一緒に表示するから、使用者が最下位のメニューに該当する機能を実行させようとする場合、該当メニューアイテムを捜すために方向キー(ナビゲーションキー)と確認キーを入力する動作を反復的に実施しなければならない。例えば、図２で、最下位のメニューであるメニューアイテム‘１．１．１．１’で、同じく最下位メニューである‘４．４．４．４’に行くためには最上位のメニューである‘１’と‘４’を経ってこそ‘４．４．４．４’に行くことができた。このような方式は使用者にあまりにも多いキー操作を要求するので、效率性が落ちて煩わしい。また、使用者が現在表示されたメニューの上位メニュー、あるいは下位メニューを分からない短所もある。
【０００９】
また、ショートカットキー概念を有する使用者構成メニューの場合、ショートカットキー設定過程が複雑であり、大部分の使用者はショートカットキーの代りに方向キーを利用してメニューを捜していく方式を好む傾向があってその活用性が落ちる。
【発明の開示】
【発明が解決しようとする課題】
【００１０】
上記背景に鑑みて、本発明の目的は、移動通信端末機使用者が中間段階を経らないで最小限のキー入力で、上位メニューで最下位のメニューを、または最下位のメニューで最上位のメニューを捜して検索するようにするメニュー表示装置及び方法を提供することにある。
本発明の他の目的は、移動通信端末機使用者が現在メニューの上、下位メニューらを一つの画面で見られるようにするメニュー表示装置及び方法を提供することにある。
本発明のまた他の目的は、移動通信端末機使用者が方向キーのみを利用してすべてのメニューに近付くようにするメニュー表示装置及び方法を提供することにある。
【課題を解決するための手段】
【００１１】
このような目的を達成するために、本第１発明は、電子機器のメニュー表示装置において、画面に表示されたメニューアイテムらを移動させるための方向キーと、階層構造の使用者メニューを保存する第１メモリーと、一つの画面に表示される多数のメニューアイテムらでなされたメニューセットを保存する第２メモリーと、一つの画面を複数の行と列に区分して、前記行と列に定義される位置らに前記メニューセットのメニューアイテムらを一つずつ配置するための表示部と、前記表示部の画面で固定された一つの行と列が定義する位置に選択手段を表示して、前記方向キーの入力を感知すると、前記第１メモリーの階層構造を参照して前記選択手段に位置したメニューアイテムの上位及び下位メニューに属するメニューアイテムらから前記メニューセットを作る制御部と、を含むことを特徴とする。
【００１２】
このような目的を達成するために、本第２発明は、階層構造のメニューを保存するメモリーを具備して、一つの画面を複数の行と列に区分して前記行と列に定義される位置のスロットらにメニューアイテムらを一つずつ配置して表示して、前記スロットらのうち、一つがカーソルスロットである電子機器のメニュー表示方法において、方向キーの入力可否をチェックする第１過程と、前記方向キーの入力を感知すると、次の段階らを遂行してメニューセットを作る第２過程と、第１段階:前記階層構造を参照してカーソルスロットに位置するようになったメニューアイテムを捜して保存、第２段階:前記カーソルスロットの左右側スロットらに対応するメニューアイテムを捜して保存、第３段階:前記カーソルスロットのメニューアイテムが最上位のメニューであると、前記カーソルスロットメニューアイテムの最下位メニューを捜して他の行に保存して、一段階下位のメニューを捜して、また他の行に保存、第４段階:前記カーソルスロットのメニューアイテムが最下位メニューであると、前記カーソルスロットメニューアイテムの最上位メニューを捜して他の行に保存して、一段階上位のメニューを捜してまた他の行に保存、第５段階:前記カーソルスロットのメニューアイテムが最上位のメニュー、または最下位のメニューではないと、前記カーソルスロットメニューアイテムの一段階上位のメニューを捜して前記他の行に保存して、一段階下位のメニューを捜して前記また他の行に保存、前記メニューセットを一つの画面に表示する第３過程と、でなされることを特徴とする。
【発明の効果】
【００１３】
上述したところのように本発明は、階層構造を有するメニューを画面に表示して実行させることにおいて、次のように使用者の便宜と效率性を高めた長所がある。
第一、階層構造メニューの最上位メニューと最下位メニューとを一つの画面に同時に表示することができる。だから、上位メニューから最下位メニューに、または最下位メニューから最上位メニューに、中間段階を経らないで最小限のキー入力で到逹することができる。
第二、使用者が現在メニューの位置を易しく認知することができるように、どのようなメニューを１段階上位のメニュー及び１段階下位のメニューと一緒に、または１段階下位のメニューと一緒に一つの画面に表示することができる。
第三、すべてのメニューに方向キーのみで近付くことができる。
【発明を実施するための最良の形態】
【００１４】
以下、本発明の好適な実施形態について添付図を参照しつつ詳細に説明する。下記説明において、本発明の要旨のみを明瞭にするために公知の機能又は構成に対する詳細な説明は省略する。なお、図面中、同一な構成要素及び部分には、可能な限り同一な符号及び番号を共通使用するものとする。
【００１５】
図３は、本発明の実施例によるメニュー表示が可能な移動通信端末機のブロック構成図である。
キー入力部２１０は画面に表示されたメニューアイテムらを行単位、あるいは列単位で移動させるための方向キー、選択キー、サイドキー及びその他さまざまなキーを有する。第１メモリー２２０は階層構造の使用者メニューを保存するデータベースである。第２メモリー２３０は一つの画面に表示される多数のメニューアイテムらでなされたメニューセットを臨時に保存する。前記第１メモリー２２０と第２メモリー２３０とは、物理的な単位の区分になることもできて、論理的な単位の区分になることもできる。表示部２４０は一つの画面を複数の行と列に区分して前記行と列に定義される位置に前記メニューセットのメニューアイテムらを一つずつ配置して表示する。制御部２６０は前記表示部２４０の画面に固定された一つの行と列が定義する位置に選択手段が表示されるように制御して前記位置にあるメニューアイテムのみ、現在選択可能な状態であることを示すことができるようにする。また、制御部２６０は前記方向キー入力を感知すると、前記第１メモリー２２０の階層構造を参照して前記選択手段に位置するようになったメニューアイテムを把握して前記メニューアイテムの上位及び下位メニューから前記選択手段の位置を除いた残り位置(行と列)に一対一対応するメニューアイテムらを捜して前記メニューセットを作る。
【００１６】
前記選択手段に位置したメニューが最下位のメニューである場合、前記選択手段に位置したメニューの最上位メニューを前記選択手段の下行に表示する。また、前記選択手段に位置したメニューアイテムが最上位のメニューである場合、前記選択手段に位置したメニューの最下位メニューを前記選択手段の上行に表示する。
【００１７】
前記メニューアイテムらはｎ×ｍ行列の各スロットに一対一対応されて、前記選択手段は前記スロットらのうちで一つとしてカーソルスロットとして具現することができる。前記ｎ、ｍは３以上の自然数であり、本明細書では３×３を仮定した実施例らを含んでいる。
【００１８】
前記表示部２４０は一つの画面を第１部分と第２部分とに分けて表示することができる。この場合、前記カーソルスロットは前記第１部分と第２部分とを移動可能であるが、該当部分内では位置が固定される。前記第２部分は単一行でなされて、前記カーソルスロットが前記第１部分にある時に前記カーソルスロットメニューの最下位メニューを表示するように構成することができる。
【００１９】
図４Ａは本発明の第１実施例によるメニュー表示方法を説明するのに必要な配列位置基準を示した図である。
３×３の四角形は一つの画面に表示される９個のメニューアイテムらを示すが、説明の便宜のために‘メニューセット’であると称することにする。
【００２０】
Ａ、Ｂ、…、Ｉはそれぞれ画面にメニューアイテムが配列される位置を示す。カーソルスロット(cursor slot)は中央位置Ｅに固定されている。それで、使用者が任意の一つのメニューを選択しようとすると、該当メニューアイテムをカーソルスロットがある中央位置Ｅに移動されなければならない。
【００２１】
カーソルスロットがある行３０３を基準に上の行３０１は上位メニュー、下の行３０５は下位メニューが配列される。すなわち、Ｂに位置したメニューアイテムはＥに位置したメニューアイテムの上位メニューであり、Ｈに位置したメニューアイテムはＥに位置したメニューアイテムの下位メニューである。そしてＡ、Ｃに位置したメニューアイテムはＢに位置したメニューアイテムの兄弟メニューであり、Ｄ、Ｆに位置したメニューアイテムはＥに位置したメニューアイテムの兄弟メニューであり、Ｇ、Ｉに位置したメニューアイテムはＨに位置したメニューアイテムの兄弟メニューである。
【００２２】
第１行３０１はカーソルスロットＥに位置したメニューアイテムの１段階上位メニューを示す。だから、第２行３０３が最上位のメニュー(例:図２の１１０)である場合、第１行３０１は最下位のメニュー(例:図２の１４０)を表示する。また、第３行３０５はカーソルスロットＥに位置したメニューアイテムの子メニューを示す。だから、第２行３０３が最下位のメニュー(例:図２の１４０)である場合、第３行３０５は最上位のメニュー(例:図２の１１０)を表示する。
【００２３】
図４Ｂは本発明の第１実施例によるメニュー表示方法を示した図である。
メニューセット間の矢印は方向キーの入力を意味する。図４Ｂに示したメニューセットらは、前述した図２の階層構造を基準で作られたものである。図２で、メニューアイテム‘１’が最も優先順位が高くて、‘２’、‘３’、‘４’の手順で優先順位が低くなると仮定する。
【００２４】
本第１実施例によると、一回のキー入力で最上位のメニュー(例:図２の１１０)で最下位のメニュー(例:図２の１４０)に移動することができる。また、上位メニューで下位メニューへの順方向検索だけでなく、下位メニューで上位メニューへの逆方向検索もすることができる。また、方向キーと確認キーとを反復的に入力するしかない従来のメニュー選択方式とは異なり、方向キーのみを使って願うすべてのメニューに近付くことができる。
【００２５】
各メニューセットに対して具体的に説明すると、次のようである。
メニューセット３１０:使用者がメニュー選択のためにメニューボタン、あるいはそれに該当するボタンを押した時、初期画面としてメニューセット３１０が表示される。メニューセット３１０の第２行には、図２に示した第１段階のメニュー１１０が表示されて、カーソルスロットＥには第１段階メニューで最も優先順位が高いメニューアイテムが表示されて、カーソルスロットＥの左側及び右側スロットには、それぞれ２番目及び３番目の優先順位を有するメニューアイテムが表示される。第３行には第２段階のメニュー１２０のうちカーソルスロットＥに表示されたメニューアイテムの子メニューが優先順位によって表示される。
【００２６】
第２行に最上位メニューが表示されるから、第１行には最下位メニューを表示する。また、１行２列(B)にはカーソルスロットＥに表示されるメニューアイテムの最下位メニューのうちで最も優先順位が高いメニューアイテムが表示されて、左側スロット及び右側スロットにそれぞれ２番目及び３番目の優先順位を有するメニューアイテムが表示される。この時、カーソルスロットＥの最下位メニューは各メニュー段階別に決められた優先順位を基準にカーソルスロットＥのメニューアイテムから始めて階層構造に沿って順方向検索をして得ることができる。例えば、図２で各メニュー段階別の優先順位が１>２>３>４である時、最上位メニュー１１０である‘１’の最下位メニューアイテムは‘１．１．１．１’になって、最下位メニュー１４０は‘１．１．１．１’、‘１．１．１．２’、‘１．１．１．３’、‘１．１．１．４’である。
【００２７】
メニューセット３２０:メニューセット３１０が表示された状態で使用者が左方向キーを入力した時、画面にはメニューセット３２０が表示される。カーソルスロットＥのメニューアイテムが‘１’から‘２’に変わり、第１行には‘２’の最下位メニューである‘２．１．１．１’、‘２．１．１．２’、‘２．１．１．３’が表示されて、第３行には‘２’の子メニューである‘２．１’、‘２．２’、‘２．３’が表示される。この時、メニューアイテム１、２、３、４は初めと終りがお互いに連結された形態の環形メニューである。すなわち、左または右方向キーが連続で入力された場合４−２−１−３−４−２−１−３のように循環的に表示される。これは第２行だけでなく、本発明による他のすべての行にも適用される。
【００２８】
メニューセット３４０:メニューセット３１０で使用者が上方向キーを入力した時、メニューセット３４０が表示される。カーソルスロットＥのメニューアイテムがメニューセット３１０で１行２列Ｂにあった‘１．１．１．１’に変わって、それによって第１行には‘１．１．１．１’の１段階上位メニュー１３０である‘１．１．１’、‘１．１．２’、‘１．１．３’が表示されて、第３行には‘１．１．１．１’が最下位のメニュー１４０であるため、最上位メニュー１１０である‘１’、‘２’、‘３’が表示される。
【００２９】
メニューセット３５０、３６０:メニューセット３４０で左方向キーを入力した場合には画面にメニューセット３５０が表示されて、右方向キーを入力した場合にはメニューセット３６０が表示される。それぞれ第２行のカーソルスロットＥが‘１．１．１．２’、‘１．１．１．３’に変わるが、カーソルスロットＥの１段階上位メニュー１３０と最上位のメニュー１１０はすべて等しいから、第３行と第１行は変化がない。
【００３０】
メニューセット３７０:メニューセット３１０で下方向キーを入力した時の画面にはメニューセット３７０が表示される。カーソルスロットＥのメニューアイテムがメニューセット３１０で３行２列Ｈにあった‘１．１’に変わって、それによって第１行には‘１．１’の１段階上位メニュー、すなわち最上位のメニュー１１０である‘１’、‘２’、‘３’が表示されて、第３行には‘１．１’の子メニュー１３０である‘１．１．１’、‘１．１．２’、‘１．１．３’が表示される。
【００３１】
メニューセット３８０、３９０:メニューセット３７０で左方向キーを入力した場合には画面にメニューセット３８０が表示されて、右方向キーを入力した場合にはメニューセット３９０が表示される。第２行のメニュー‘１．１’、‘１．２’、‘１．３’はお互いに同じである１段階上位のメニューを有するので第１行は変わりがなく、第３行にはカーソルスロットＥの値によってそれぞれの子メニューが表示される。
【００３２】
任意のメニューアイテムを実行させるためには、該当メニューアイテムをカーソルスロットＥに位置させて、あらかじめ定義された実行キーを押さなければならない。ただし、該当メニューアイテムが最下位のメニューでなければならない。最下位のメニューでないメニューアイテムをカーソルスロットＥに位置させて実行キーを押す場合には実行キーが下方向キーのような役割をする。
【００３３】
図５は、本発明の第１実施例によるメニュー表示を制御する動作を説明するための流れ図である。
４０１段階で、制御部２６０は使用者によって入力されたキーの種類を判断して４０３段階に進行する。４０３段階はカーソルスロットＥに入って行くメニューアイテムを決定する段階である。４０１段階で入力されたキーが上方向キーである場合、制御部２６０はキーが入力される前に、上側スロットＢのメニューアイテムをカーソルスロットＥに保存する。下方向キーである場合には、下側スロットＨにあるメニューアイテムをカーソルスロットＥに保存する。左方向キーである場合には、左側スロットＤにあるメニューアイテムをカーソルスロットＥに保存して、右方向キーである場合には右側スロットＦにあるメニューアイテムをカーソルスロットＥに保存した後、４０５段階に進行する。
【００３４】
４０５段階は、カーソルスロットＥの左右スロットを保存する段階である。制御部２６０は、カーソルスロットＥのメニューアイテムの兄弟メニューを保存して、４０７段階に進行する。
【００３５】
４０７段階で、制御部２６０はカーソルスロットＥが最上位のメニュー１１０であるか否かを判断して、カーソルスロットＥが最上位メニューである場合、４０９段階に進行して、そうでなければ４１３段階に進行する。
【００３６】
４０９段階で、制御部２６０は第１行３０１のメニューを決定して保存する。カーソルスロットＥが最上位メニュー１１０であるために、第１行にカーソルスロットＥの最下位メニュー１４０を保存して、４１１段階に進行する。
【００３７】
４１１段階で、制御部２６０は第３行３０５のメニューを決定して保存する。カーソルスロットＥが最上位メニュー１１０であるために、第３行にカーソルスロットＥの１段階下位メニュー１２０を保存して、４２３段階に進行する。
【００３８】
４１３段階で、制御部２６０はカーソルスロットＥが最下位のメニュー１４０であるか否かを判断して最下位メニューであると４１９段階に進行して、そうでなければ４１５段階に進行する。
【００３９】
４１９段階で、制御部２６０は第１行３０１のメニューを決定して保存する。カーソルスロットＥが最下位のメニュー１４０であるため、第１行にカーソルスロットＥの１段階上位メニューを保存して、４２１段階に進行する。
【００４０】
４２１段階で、制御部２６０は第３行３０５のメニューを決定して保存する。カーソルスロットＥが最下位メニュー１１０であるため、第３行にカーソルスロットＥの最上位メニュー１１０を保存して、４２３段階に進行する。
【００４１】
４１５段階で、制御部２６０は第１行３０１のメニューを決定して保存する。カーソルスロットＥが最下位メニュー１４０、あるいは最上位のメニュー１１０ではないので、第１行にカーソルスロットＥの１段階上位メニューを保存して４１７段階に進行する。
【００４２】
４１７段階で、制御部２６０は第３行３０５のメニューを決定して保存する。カーソルスロットＥが最下位メニュー１４０、あるいは最上位のメニュー１１０でないので、第３行にカーソルスロットＥの１段階下位のメニューを保存して、４２３段階に進行する。
【００４３】
前記カーソルスロットＥを除いた残りの行と列のメニューを処理する手順において、手順を変更するか、または同時に処理することが可能であることに留意しなければならない。
【００４４】
４２３段階で、制御部２６０は４０１段階〜４２１段階を通じて作られたメニューセットを画面に表示する。
【００４５】
本発明の図５では、メニューセットを完全に構成した後、画面に表示してくれる前記４２３段階を含んで説明しているが、前記４２３段階を処理しないで、それぞれの段階ごとに決定されたメニューアイテムを画面に表示することもできる。
【００４６】
図６Ａ及び図６Ｂは本発明の第１実施例によって具現された移動通信端末機の画面メニュー表示状態らを示した図である。
図７Ａは本発明の第２実施例によるメニュー表示方法を説明するのに必要な配列位置基準を示した図である。
２×３、１×３の四角形らを含む縁の四角形は一つの画面に表示される９個のメニューアイテムらを示すが、説明の便宜のためにこれも同様に‘メニューセット’であると称する。
【００４７】
Ａ、Ｂ、…、Ｉは、それぞれ画面にメニューアイテムが配列される位置を示す。カーソルスロットは１行の中央位置Ｂに固定されている。だから、使用者が任意の、一つのメニューを選択しようとすると、該当メニューアイテムが、カーソルスロットがある位置Ｂに移動されなければならない。
【００４８】
本第２実施例によると、メニュー画面の特定領域に、上位メニューによる最下位のメニュー(例:図２の１４０)を常に表示して使用者が表示された最下位のメニューをみて、最下位メニューまでの中間キー入力過程を省略して、１回のキー入力で最下位のメニューに到逹することができるようにする。また、上位メニューで下位メニューへの順方向検索だけでなく、下位メニューで上位メニューへの逆方向検索もすることができる。また、方向キーと確認キーを反復的に入力するしかない従来のメニュー選択方式とは異なり、方向キーのみを使って願うすべてのメニューに近付くことができる。
【００４９】
図７Ｂは本発明の第２実施例によるメニュー表示方法を示した図である。
メニューセット間の矢印は方向キーの入力を意味する。図７Ｂに示したメニューセットらは前述した図２の階層構造を基準で作られたものである。図２で、メニューアイテム‘１’が最も優先順位が高くて、‘２’、‘３’、‘４’の手順で優先順位が低くなると仮定する。
【００５０】
第２行５０３はカーソルスロットＢに位置したメニューの子メニュー、すなわち１段階下位のメニューを示して、第１行５０１が最下位メニュー１４０である場合、第２行５０３は最上位のメニュー１１０を表示する。第３行５０５は常にカーソルスロットＢに位置したメニューアイテムの最下位メニュー１４０らを示して、決められたキー入力によって第３行５０５に制御が移れば、使用者は左、右方向キーと選択ボタンとを利用して願う機能を実行させることができるし、再び決められたキーを利用して制御を第１行５０１に返してやることができる。そして、各行は第１実施例で説明したところのように環形メニュー構造を有する。
【００５１】
各メニューセットに対して具体的に説明すると、次のようである。
メニューセット５１０:使用者がメニュー選択のためにメニューボタン、あるいはそれに該当するボタンを押した時、初期画面としてメニューセット５１０が表示される。メニューセット５１０の第１行５０１には、第１段階メニュー１１０が表示されて、カーソルスロットＢには、第１段階メニューで最も優先順位が高いメニューアイテムが表示されて、左側スロットには２番目の優先順位を有するメニューアイテムが表示されて、右側スロットには３番目の優先順位を有するメニューアイテムが表示される。第２行５０３には、第２段階メニュー１２０のうちカーソルスロットＢに表示されたメニューアイテムの子メニューが優先順位によって表示される。第３行５０５には第１行５０１のカーソルスロットＢに表示されたメニューアイテムの最下位メニュー１４０が表示される。
【００５２】
メニューセット５２０、５３０:メニューセット５１０で右方向キーが１回入力された場合の画面には、メニューセット５２０が表示されて、２回入力された場合は、メニューセット５３０が表示される。第１行５０１のカーソルスロットＢが‘１’から‘３’、‘４’に変わることによって、第２行５０３にはカーソルスロットＢの子メニューが表示されて、第３行５０５にはカーソルスロットＢの最下位メニュー１４０が表示される。
【００５３】
メニューセット５４０:メニューセット５１０で下方向キーを入力した時の画面には、メニューセット５４０が表示される。メニューセット５１０の２行２列Ｅにあったメニューアイテム‘１．１’がカーソルスロットＢに位置が変わり、それによって第２行５０３に‘１．１’の子メニューが表示される。一方に、第３行５０５は‘１’と‘１．１’の最下位メニュー１４０が同じだから変わらない。
【００５４】
メニューセット５６０:メニューセット５４０で下方向キーを入力した時の画面には、メニューセット５４０が表示される。メニューセット５４０の２行２列Ｅにあったメニューアイテム‘１．１．１’がカーソルスロットＢに位置が変わったし、それによって第２行５０３には‘１．１．１’の子メニューが表示される。一方に、第３行５０５は‘１．１’と‘１．１．１’の最下位メニュー１４０が同じだから変わらない。また、メニューセット５６０で第２行５０３と第３行５０５とはカーソルスロットＢのメニューアイテム、すなわち‘１．１．１’の子メニューと最下位のメニュー１４０が同じだから同じメニューを表示する。
【００５５】
図８は、本発明の第２実施例で使用者が願うメニューを実行する方法を示した図である。
メニューセット６１０:使用者がメニューボタン、あるいはそれに該当するボタンを押した時、初期画面としてメニューセット６１０が表示される。この時、使用者は方向キーを利用して実行しようとするメニューアイテムの上位メニューのうちで、一つをカーソルスロットＢに位置するようにして、サイドキー、またはあらかじめ定義されたキー入力を通じて第３行５０５に制御を移す。
【００５６】
メニューセット６２０、６３０、６４０:メニューセット６１０で第３行５０５に制御が移された状態を示したものである。この状態で左、右方向キーを利用して第３行５０５をスクロールして願うメニューを捜して実行ボタンを押して機能を実行する。この時、第３行５０５を除いた残りの行らは変わらない。
【００５７】
図９は、本発明の第２実施例によるメニュー表示を制御する動作を説明するための流れ図である。
７０１段階:方向キーの入力を感知する。
７０３段階:現在カーソル位置が第１行５０１であるか、または第３行５０５であるか否かを判断する。フラッグ(Flag)は０または１の値を有することができる。フラッグは使用者がカーソルスロットの位置を変更させるための、決められたキー入力を受ける場合、値が変更される。カーソルスロットの位置が第１行５０１にある時にはフラッグが０であり、カーソルスロットの位置が第３行５０５である場合、フラッグが１である。Flagが０であると、７０５段階に進行して、１であると、７０７段階に進行する。
【００５８】
７０５段階:カーソルの位置が第１行５０１である時、使用者によって入力されたキーの種類を判断して、７０９段階に進行する。
７０９段階:７０５段階で上方向キーでない場合カーソルスロットＢに入って行くメニューアイテムを決定する段階である。下方向キーである場合、下側スロットＥにあるメニューアイテムをカーソルスロットＢに保存して、左方向キーである場合、左側スロットＡにあるメニューアイテムをカーソルスロットＢに保存して、右方向キーである場合右側スロットＣにあるメニューアイテムをカーソルスロットＢに保存した後、７１７段階に進行する。
【００５９】
７１１段階:７０５段階で上方向キーである場合、カーソルスロットＢが最上位のメニュー１１０であるか否かを判断する段階である。
７１３段階:７１１段階でカーソルスロットＢが最上位メニューでない場合、カーソルスロットＢの親メニューをカーソルスロットＢに保存した後、７１７段階に進行する。
７１５段階:７１１段階でカーソルスロットＢが最上位のメニューであると、カーソルスロットＢの最下位メニューアイテムをカーソルスロットＢに保存する。
７１７段階:カーソルスロットＢの左右スロットを保存する段階である。カーソルスロットＢのメニューアイテムの兄弟メニューを保存して、７１９段階に進行する。
７１９段階:カーソルスロットＢが最下位メニュー１４０であるか否かを判断する段階である。
【００６０】
７２１段階:カーソルスロットＢが最下位メニュー１４０ではなければ第２行５０３にカーソルスロットＢの子メニューを保存して、７２５段階に進行する。
７２３段階:カーソルスロットＢが最下位のメニュー１４０であると、第２行５０３にカーソルスロットＢの最上位メニュー１１０を保存して、７２５段階に進行する。
７２５段階:第３行５０５のメニューを決定して保存する段階である。第３行にカーソルスロットＢの最下位メニュー１４０を保存して、７３１段階に進行する。
前記カーソルスロットＢを除いた残り行と列のメニューを処理する手順において、手順を変更するか、または同時に処理することが可能であることに留意しなければならない。
カーソルの位置が第３行５０５である場合、７０３段階から７０７段階に進行する。
【００６１】
７０７段階:使用者によって入力されたキーの種類を判断して左方向キー、あるいは右方向キーであると、７２７段階に進行して、そうでなければ作業を終了する。
７２７段階:第３行５０５のカーソルスロットＨに入って行くメニューアイテムを決定する段階である。左、右二つの場合が存在する。左方向キーである場合、カーソルスロットＨの左側スロットＧにあるメニューアイテムをカーソルスロットＨに保存して、右方向キーである場合、右側スロットＩにあるメニューアイテムをカーソルスロットＨに保存した後、７２９段階に進行する。
【００６２】
７２９段階:カーソルスロットＨの左右スロットを保存する段階である。カーソルスロットＨのメニューアイテムの兄弟メニューを保存して、７３１段階に進行する。
７３１段階:制御部２６０は前記した段階らを通じて作られたメニューセットを画面に表示する。
【００６３】
本発明の図９ではメニューセットを完全に構成した後、画面に表示する前記７３１段階を含んで説明しているが、前記７３１段階を含まないでそれぞれの段階ごとに決定されたメニューアイテムを画面に表示することもできる。
【００６４】
図１０Ａ及び図１０Ｂは本発明の第２実施例によって具現された移動通信端末機の画面メニュー表示状態らを示した図である。
図１１は本発明の第３実施例によるメニュー表示方法を示した図である。前述した第２実施例を変形したものであり、第２実施例と第３行を決定することにおいて差がある。すなわち、第２実施例は最下位のメニューを表示するが、第２実施例はカーソルスロットＢの下位メニューに属して末端に位置したすべてのメニューアイテムらを優先順位によって並べて示す。メニューアイテムらの優先順位は第４段階のメニューに対して１．３．３．２>１．１．１．１>１．２．２．１>１．１．３．１>１．１．１．４>１．１．１．２に決まっていると仮定する。
【００６５】
メニューセット８１０:カーソルスロットＢのメニューアイテムが‘１’であるため、第３行に‘１．１．１．１’から‘１．４．４．４’まで末端に位置したすべてのメニューアイテムのうちから優先順位が高い３種のメニューアイテムを表示した画面である。
【００６６】
メニューセット８２０:カーソルスロットＢのメニューアイテムが‘１．１’であるため、第３行に‘１．１．１．１’から‘１．１．４．４’まで末端に位置したすべてのメニューアイテムらのうちから優先順位が高い３種のメニューアイテムを表示した画面である。
【００６７】
メニューセット８３０:カーソルスロットＢのメニューアイテムが‘１．１．１’であるため、第３行に‘１．１．１．１’から‘１．１．１．４’まで末端に位置したすべてのメニューアイテムのうちから優先順位が高い３種のメニューアイテムを表示した画面である。
一方、本発明の詳細な説明では、‘行’を利用した具体的な実施例に関して説明したが、‘列’を利用することも可能である。
【００６８】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００６９】
【図１Ａ】一般的な移動通信端末機でメニューを表示する画面らを例示した図。
【図１Ｂ】一般的な移動通信端末機でメニューを表示する画面らを例示した図。
【図１Ｃ】一般的な移動通信端末機でメニューを表示する画面らを例示した図。
【図２】一般的な階層構造を有するメニュー構造の一例を示した図。
【図３】本発明の実施例によるメニュー表示が可能な移動通信端末機のブロック構成図。
【図４Ａ】本発明の第１実施例によるメニュー表示方法を説明するのに必要な配列位置基準を示した図。
【図４Ｂ】本発明の第１実施例によるメニュー表示方法を示した図。
【図５】本発明の第１実施例によるメニュー表示を制御する動作を説明するための流れ図。
【図６Ａ】本発明の第１実施例によって具現された移動通信端末機の画面メニュー表示状態らを示した図。
【図６Ｂ】本発明の第１実施例によって具現された移動通信端末機の画面メニュー表示状態らを示した図。
【図７Ａ】本発明の第２実施例によるメニュー表示方法を説明するのに必要な配列位置基準を示した図。
【図７Ｂ】本発明の第２実施例によるメニュー表示方法を示した図。
【図８】本発明の第２実施例で使用者が願うメニューを実行する方法を示した図。
【図９】本発明の第２実施例によるメニュー表示を制御する動作を説明するための流れ図。
【図１０Ａ】本発明の第２実施例によって具現された移動通信端末機の画面メニュー表示状態らを示した図。
【図１０Ｂ】本発明の第２実施例によって具現された移動通信端末機の画面メニュー表示状態らを示した図。
【図１１】本発明の第３実施例によるメニュー表示方法を示した図。
【符号の説明】
【００７０】
２１０    キー入力部
２２０    第１メモリー
２３０    第２メモリー
２４０    表示部
２６０    制御部
【図１Ａ】
2005149487.tif 000003
【図１Ｂ】
2005149487.tif 000004
【図１Ｃ】
2005149487.tif 000005
【図２】
2005149487.tif 000006
【図３】
2005149487.tif 000007
【図４Ａ】
2005149487.tif 000008
【図４Ｂ】
2005149487.tif 000009
【図５】
2005149487.tif 000010
【図６Ａ】
2005149487.tif 000011
【図６Ｂ】
2005149487.tif 000012
【図７Ａ】
2005149487.tif 000013
【図７Ｂ】
2005149487.tif 000014
【図８】
2005149487.tif 000015
【図９】
2005149487.tif 000016
【図１０Ａ】
2005149487.tif 000017
【図１０Ｂ】
2005149487.tif 000018
【図１１】
2005149487.tif 000019